(57)【要約】【課題】  多量の情報と個人情報を保護できる隠蔽葉書を同封でき、かつ封筒の準備、封筒への封入、封緘作業の不要な送付物の形態を提供することである。【解決手段】  表表紙片と裏表紙片及び葉書本体片と隠蔽用紙片が連接された隠蔽葉書を含む、少なくとも３枚以上の紙片が、一方の端部に設けた綴じ部にて綴じられた冊子状送付物であって、表表紙片または裏表紙片のいずれか一方を綴じ部と対向する側の端縁にて折返し部を介して所定寸法だけ外方向に延出させて折返し片を設け、端部に封緘部を形成し、表表紙片または裏表紙片のいずれか他方の綴じ部と対向する側の端縁を所定寸法だけ内方向に縮小し、前記折返し片を前記折返し部にて前記表表紙片または裏表紙片のいずれか他方側の外面に折り曲げて封緘部にて接着することを特徴とする送付物。【選択図】        図１
2006272956.tif 000002
【特許請求の範囲】
【請求項１】
表表紙片と裏表紙片及び葉書本体片と隠蔽用紙片が連接された隠蔽葉書を含む、少なくとも３枚以上の紙片が、一方の端部に設けた綴じ部にて綴じられた冊子状送付物であって、表表紙片または裏表紙片のいずれか一方を綴じ部と対向する側の端縁にて折返し部を介して所定寸法だけ外方向に延出させて折返し片を設け、端部に封緘部を形成し、表表紙片または裏表紙片のいずれか他方の綴じ部と対向する側の端縁を所定寸法だけ内方向に縮小し、前記折返し片を前記折返し部にて前記表表紙片または裏表紙片のいずれか他方側の外面に折り曲げて封緘部にて接着することを特徴とする送付物。
【請求項２】
前記折返し部と前記封緘部との間に前記綴じ部と略平行にミシン目を形成したことを特徴とする請求項１記載の送付物。
【請求項３】
表表紙片、裏表紙片、隠蔽用シール片及び葉書本体片を含む、少なくとも４枚以上の紙片が、一方の端部に設けた綴じ部にて綴じられた冊子状送付物であって、表表紙片または裏表紙片のいずれか一方を綴じ部と対向する側の端縁にて折返し部を介して所定寸法だけ外方向に延出させて折返し片を設け、端部に封緘部を形成し、表表紙片または裏表紙片のいずれか他方の綴じ部と対向する側の端縁を所定寸法だけ内方向に縮小し、前記折返し片を前記折返し部にて前記表表紙片または裏表紙片のいずれか他方側の外面に折り曲げて封緘部にて接着するとともに、前記折返し部にミシン目を形成することを特徴とする送付物。
【請求項４】
前記折返し部と前記封緘部との間に前記綴じ部と略平行にミシン目を形成したことを特徴とする請求項３記載の送付物。
【発明の詳細な説明】
【技術分野】
【０００１】
本発明は、そのままの状態で送付することができ、受け取った顧客が容易に開封できる封緘した冊子状送付物に関し、特に返信葉書を綴じ込んだ送付物に関するものである。
【背景技術】
【０００２】
従来より、商品又は役務の内容を記載した冊子（カタログ、パンフレット等）は、種々の分野で広く利用されている。例えば顧客に商品等を選択させる贈り物として利用することが知られている。また、通販会社等で、過去に注文を受けた顧客等に対して、ダイレクトメールとして冊子を送付することが知られている。このような場合には、顧客の宛名や挨拶文を印字した台紙を、申込葉書とともに冊子に添付して送付することが一般的であり、申込葉書に個人情報を記入し、返送してもらうような場合には、申込葉書として、例えば、同サイズのはがき用紙並びに隠蔽用紙が折畳み可能に接合されており、該はがき用紙の内面に情報記入欄が設定されていると共に、隠蔽用紙の内面に再剥離粘着剤が塗布され、その表面に剥離紙が貼付された隠蔽式はがきであって、記入した情報記入欄を、隠蔽用紙片の表面に貼着された剥離紙片を剥がし、再剥離性粘着剤を露出させた後、隠蔽用紙片を折畳み、擬似接着して郵送できるようにしたものが知られている。
【特許文献１】特開平７−２１４９４７号公報
【０００３】
しかし、前述の冊子を顧客に送付するには、封筒を準備する作業、封筒に冊子や、申込み葉書を封入し封緘する等の煩雑な作業がある。また、申込み用葉書も個人情報が記入されるので隠蔽葉書の使用が望まれている。
【発明の開示】
【発明が解決しようとする課題】
【０００４】
そこで本発明は、上記の課題を解決するために、多量の情報と個人情報を保護できる隠蔽葉書を同封でき、かつ封筒の準備、封筒への封入、封緘作業の不要な送付物の形態を提供することである。
【課題を解決するための手段】
【０００５】
本発明は、上記課題を達成するために、請求項１記載の本発明は、表表紙片と裏表紙片及び葉書本体片と隠蔽用紙片が連接された隠蔽葉書を含む、少なくとも３枚以上の紙片が、一方の端部に設けた綴じ部にて綴じられた冊子状送付物であって、表表紙片または裏表紙片のいずれか一方を綴じ部と対向する側の端縁にて折返し部を介して所定寸法だけ外方向に延出させて折返し片を設け、端部に封緘部を形成し、表表紙片または裏表紙片のいずれか他方の綴じ部と対向する側の端縁を所定寸法だけ内方向に縮小し、前記折返し片を前記折返し部にて前記表表紙片または裏表紙片のいずれか他方側の外面に折り曲げて封緘部にて接着することを特徴とするものである。
【０００６】
また、請求項２記載の本発明は、請求項１記載の送付物において前記折返し部と前記封緘部との間に前記綴じ部と略平行にミシン目を形成したことを特徴とするものである。
【０００７】
また、請求項３記載の本発明は、表表紙片、裏表紙片、隠蔽用シール片及び葉書本体片を含む、少なくとも４枚以上の紙片が、一方の端部に設けた綴じ部にて綴じられた冊子状送付物であって、表表紙片または裏表紙片のいずれか一方を綴じ部と対向する側の端縁にて折返し部を介して所定寸法だけ外方向に延出させて折返し片を設け、端部に封緘部を形成し、表表紙片または裏表紙片のいずれか他方の綴じ部と対向する側の端縁を所定寸法だけ内方向に縮小し、前記折返し片を前記折返し部にて前記表表紙片または裏表紙片のいずれか他方側の外面に折り曲げて封緘部にて接着するとともに、前記折返し部にミシン目を形成することを特徴とするものである。
【０００８】
また、請求項４記載の本発明は、請求項３記載の送付物において、前記折返し部と前記封緘部との間に前記綴じ部と略平行にミシン目を形成したことを特徴とするものである。
【発明の効果】
【０００９】
本発明は、カタログ等の多量の情報を顧客へ提供でき、申込み用隠蔽葉書等も同封でき、冊子状にし、表表紙片と裏表紙片とを綴じ部と対向する封緘部で接着する形態にすることにより、封筒の準備、封筒への封入、封緘作業が不要となり、合理化、納期の短縮化が図れるという効果を奏するものである。
【００１０】
また、申込み用葉書に葉書本体片と隠蔽用紙片が連接された隠蔽葉書を綴じ込むことにより、顧客が記入した個人情報の機密化が図れ、顧客が安心して郵送できるという効果がある。
【００１１】
さらに、表表紙片あるいは裏表紙片のいずれかに折返し部と封緘部との間にミシン目が設けられており、顧客が送付物を手で容易に開封できるという効果がある。
【発明を実施するための最良の形態】
【００１２】
以下、図面を参照しながら本発明について、以下に詳述する。図１は本発明に係る送付物の第一実施形態を示す斜視図、図２は図１におけるＡ−Ａ断面を図解的に示す説明図、図３は本発明に係る送付物の第一実施形態のミシン目に沿って開封し、隠蔽葉書を綴じ込んだ本体片で見開き状態にした斜視図、図４は図３におけるＢ−Ｂ断面図、図５は本発明に係る送付物の第二実施形態を示す図１におけるＡ−Ａ相当の断面を図解的に示す説明図、図６は本発明に係る送付物の第三実施形態を示す図１におけるＡ−Ａ相当の断面を図解的に示す説明図である。
【００１３】
（第一実施形態）
まず、図１、図２に示すように本発明の送付物１は裏表紙片２の上に少なくとも隠蔽葉書を含む本体片３ａ、本体片３、表表紙片４の順に重ねられ、一方の端部に設けた綴じ部５にて接着剤６で綴じられている。本体片３は裏表紙片２の上から表表紙片４に向かって綴じ部５と直交する辺の寸法が長い順に重ねられ、綴じ部５と対向する端部に見出し７が設けられている。このように見出し７を設けることによりと本体片３が一枚ずつ捲り易くなるとともに目次の役目を果たし、使用者に便利性を提供するものである。裏表紙片２は綴じ部５と対向する側の端縁にて折返し部８を介して所定寸法だけ外方向に延出させて折返し片９を設け、端部に封緘部１０を形成しており、折返し部８で折り返され、折返し片９の端部に形成された封緘部１０を表表紙片４の綴じ部５と対向する端部の外面に重ねて接着剤６ａで封緘されている。また、表表紙片４の上面には送り先、宛名欄４ａが設けられ、表表紙片４の綴じ部５と直交する辺の寸法は裏表紙片２の綴じ部側の端から折返し部８までの寸法より短く、該裏表紙片２が折返し部８で折り返され封緘部１０と重なるように設けられている。さらに、顧客が容易に開封できるように裏表紙片２の折返し片９の封緘部１０と折返し部８との間に綴じ部５と平行にミシン目１１を形成している。尚、本体片３は見出し７を綴じ部５と対向する側に外方へ延出するように設けているが、特にこの形態に限定されるものではない。また、裏表紙片２に設けた折返し片９の所定寸法は折返し部８と封緘部１０との間にミシン目１１が形成できればよく、送付物の寸法により、適宜選択できる。
【００１４】
次に、図３、図４を用いて、隠蔽葉書を含む本体片３ａに設けられた隠蔽葉書１２について説明する。隠蔽葉書１２は隠蔽葉書を含む本体片３ａに形成されたミシン目１３で切取できるように設けられている。隠蔽葉書１２は葉書本体片１４と隠蔽用紙片１５がミシン目１６を介して連接されており、隠蔽用紙片の上面には再剥離再粘着剤１７を介して剥離紙１８が貼付されている。葉書本体片１４の上面には個人情報記入欄１９があり、顧客は該個人情報記入欄１９に必要事項等を記入後、剥離紙１８を剥離し、再剥離再粘着剤１７を露出させて、ミシン目１６で折り返して個人情報記入欄１９に貼付すると記入された個人情報が隠蔽され、顧客が安心して送付できるものである。以上、説明してきた本発明の送付物１は、表表紙片４、裏表紙片２、本体片３を通常の技法で丁合機で自動丁合でき、そのままで送付可能な形態であり、封筒の準備、封筒への封入、封緘作業が不要となり、工程の合理化、納期の短縮化が図れるものである。
【００１５】
（第二実施形態）
次に、図５を用いて、本発明の他の実施形態について説明する。図５に示すように本発明の送付物２１は裏表紙片２２の上に少なくとも隠蔽葉書を含む本体片３ａ、本体片３、表表紙片２４の順に重ねられ、一方の端部に設けた綴じ部２５にて接着剤６で綴じられている。本体片３は裏表紙片２２の上から表表紙片２４に向かって綴じ部２５と直交する辺の寸法が長い順に重ねられ、綴じ部２５と対向する端部に見出し７が設けられている。表表紙片２４は綴じ部２５と対向する側の端縁にて折返し部２８を介して所定寸法だけ外方向に延出させて折返し片２９を設け、端部に封緘部２０を形成しており、折返し部２８で折り返され、折返し片２９の端部に形成された封緘部２０を裏表紙片２２の綴じ部２５と対向する端部の外面に重ねて接着剤６ａで封緘されている。さらに、顧客が容易に開封できるように表表紙片２４の折返し片２９の封緘部２０と折返し部２８との間に綴じ部２５と平行にミシン目３１を形成している。その他は前述の本発明の第一実施形態と同じであり、説明を省略する。
【００１６】
（第三実施形態）
（第三実施形態）
次に、図６を用いて、本発明の第三実施形態について説明する。図６に示すように本発明の送付物４０は裏表紙片３２の上に隠蔽用シール片４２、少なくとも葉書を含む葉書本体片３３ａ、本体片３、表表紙片３４の順に重ねられ、一方の端部に設けた綴じ部３５にて接着剤６で綴じられている。本体片３は裏表紙片３２の上から隠蔽用シール片４２を介して表表紙片３４に向かって綴じ部３５と直交する辺の寸法が長い順に重ねられ、綴じ部３５と対向する端部に見出し７が設けられている。隠蔽用シール片４２の綴じ部３５と直交する辺の寸法は本体片３の該寸法より短い。裏表紙片３２は綴じ部３５と対向する側の端縁にて折返し部３８を介して所定寸法だけ外方向に延出させて折返し片３９を設け、端部に封緘部３０を形成しており、折返し部３８で折り返され、折返し片３９の端部に形成された封緘部３０を表表紙片３４の綴じ部３５と対向する端部の外面に重ねて接着剤６ａで封緘されている。また、表表紙片３４の上面には送り先、宛名欄（図示しない）が設けられ、表表紙片３４の綴じ部３５と直交する辺の寸法は裏表紙片３２の綴じ部側の端から折返し部３８までの寸法より短く、該裏表紙片３２が折返し部３８で折り返され封緘部３０と重なるように設けられている。また、顧客が容易に開封できるように裏表紙片３２の折返し片３９の封緘部３０と折返し部３８との間に綴じ部３５と平行にミシン目１１を形成している。さらに、折返し部３８には、ミシン目４１が形成されている。ミシン目４１を形成することにより折返し片３９の折りくせが入り易くなり、封緘適性が向上するものである。その他は第一実施形態と同様である。
【００１７】
次に、葉書と隠蔽シールについて説明する。葉書を含む葉書本体片３３ａには、図示しないが片面に個人情報記入欄がある葉書が第一実施形態と同様にミシン目で切取りできるように設けられている。また、隠蔽用シール片４２は、図示しないが紙や合成紙等からなる紙片の上面には「個人情報保護シール」等の印刷が施され下面には再剥離再粘着剤を介して剥離紙が貼付されて構成され、さらに前記紙片には葉書の個人情報記入欄を隠蔽できる大きさに剥離可能なように半切線等が施されている。顧客は葉書を含む葉書本体片３３ａから葉書をミシン目に沿って切取り、個人情報記入欄に必要事項等を記入後、隠蔽用シール片４２から隠蔽シールを剥離紙より剥離し、再剥離再粘着剤を露出させて、個人情報記入欄に貼付すると記入された個人情報が隠蔽され、顧客が安心して送付できるものである。
【図面の簡単な説明】
【００１８】
【図１】本発明に係る送付物の第一実施形態を示す斜視図である。
【図２】図１におけるＡ−Ａ断面を図解的示す説明図である。
【図３】本発明に係る送付物の第一実施形態のミシン目に沿って開封し、隠蔽葉書を綴じ込んだ本体片で見開き状態にした斜視図である。
【図４】図３におけるＢ−Ｂ断面図である。
【図５】本発明に係る送付物の第二実施形態を示す図１におけるＡ−Ａ相当の断面を図解的に示す説明図である。
【図６】本発明に係る送付物の第三実施形態を示す図１におけるＡ−Ａ相当の断面を図解的に示す説明図である。
【符号の説明】
【００１９】
１、２１、４０                          送付物
２、２２、３２                          裏表紙片
３                                      本体片
３ａ                                    隠蔽葉書を含む本体片
４、２４、３４                          表表紙片
４ａ                                    送り先、宛名記入欄
５、２５、３５                          綴じ部
６、６ａ                                接着剤
７                                      見出し
８、２８、３８                          折返し部
９、２９、３９                          折返し片
１０、２０、３０                        封緘部
１１、１３、１６、３１、４１            ミシン目
１２                                    隠蔽葉書
１４                                    葉書本体片
１５                                    隠蔽用紙片
１７                                    再剥離再粘着剤
１８                                    剥離紙
１９                                    個人情報記入欄
３３ａ                                  葉書を含む葉書本体片
４２                                    隠蔽用シール片
【図１】
2006272956.tif 000003
【図２】
2006272956.tif 000004
【図３】
2006272956.tif 000005
【図４】
2006272956.tif 000006
【図５】
2006272956.tif 000007
【図６】
2006272956.tif 000008